(57)【要約】【課題】指輪を指に着けない時に、ペンダントとして常時身に着けて使用できるネックレス挿通孔付きの指輪を提供する。【解決手段】指輪リング１の外周外径方向に厚くした部位１ａ，・・・のうちの一箇所の部位１ａに、ネックレスチェーンを挿通させる孔２が、指輪リング１の穴壁１ｂの円筒に対して接線方向にストレートに貫通されたネックレス挿通孔付きの指輪であり、ネックレスチェーンの挿通先部を一度で容易且つ迅速に挿通させて首にぶら下げて使用する。【選択図】　　　　　図１
0003097216.tif 000002
【実用新案登録請求の範囲】
【請求項１】
指輪リングを、外周外径方向に複数箇所厚くして、該厚くした部位の一箇所に、指輪リングの穴壁円周に対して接線方向にネックレスチェーンを挿通させる孔を貫通させてなることを特徴とするネックレス挿通孔付きの指輪。
【請求項２】
複数箇所厚くした部位を指輪リングの外周外径方向に等配して、指輪リングの外形が複数の円弧辺からなる略正多角形状に成形されてなることを特徴とする請求項１記載のネックレス挿通孔付きの指輪。
【請求項３】
外周外径方向に複数箇所厚くした部位のそれぞれに、宝石等の装飾部材が装着されてなることを特徴とする請求項１又は請求項２記載のネックレス挿通孔付きの指輪。
【請求項４】
ネックレスチェーンを挿通させる孔を貫通させた部位と反対側の厚くした外周部位に、宝石等の装飾部材が装着されてなることを特徴とする請求項１又は請求項２記載のネックレス挿通孔付きの指輪。
【考案の詳細な説明】
【０００１】
【考案の属する技術分野】
本考案は、指輪を指に着けない時に、ペンダントとしてネックレスチェーンにぶら下げ、常時身に着けて使用できるようにしたネックレス挿通孔付きの指輪に関するものである。
【０００２】
【従来の技術及び考案が解決しようとする課題】
結婚を記念して交わすマリッジリング等の指輪は、愛の象徴とされ、お互いが身に着けてその絆を確かめるのが望ましいが、職務上指輪を指からはずさなければならない場合が多々あり、はずした指輪が身に付けられず紛失したりするなどの問題点がある。
【０００３】
又、指輪リングに孔をあけてネックレスチェーンを挿通し、首にぶら下げて指輪をペンダントとして用いることは一般的に周知されており、例えば実開平５−３７１１１号公報には、指輪リングにネックレスチェーンを挿通する孔が二箇所設けられ、該孔にネックレスチェーンを挿通し、首からぶら下げてペンダントとして用いる装飾部材が開示されている。そして、前記ネックレスチェーンを挿通する孔は、円形の指輪リングの外周面に直角に二箇所あけて設けられるのが一般的である。
【０００４】
しかしながら、上記のように指輪リングの二箇所に孔をあけてネックレスチェーンを挿通する場合、ネックレスチェーンを指輪リング外から指輪リング内へ挿通させた後、指輪リング内から指輪リング外へ挿通させるといった二度の挿通が必要となり、容易且つ迅速に挿通できないことや、幅の狭い指輪リングではネックレスチェーンを挿通させる孔をあけるとなると、指輪リングの強度の低下を招いて変形したり破損しやすくなること、及び挿通したネックレスチェーンが指輪リング内に多くはみ出して見た目も良くないなどの問題点があり、これらの問題点を解決しようとするのが本考案の課題とするものである。
【０００５】
【課題を解決するための手段】
上記課題を達成するため、本考案は以下に記載する手段を講じてなるネックレス挿通孔付きの指輪とした。
すなわち、
（１）指輪リングを、外周外径方向に複数箇所厚くして、該厚くした部位の一箇所に、指輪リングの穴壁円周に対して接線方向にネックレスチェーンを挿通させる孔を貫通させてなることを特徴とするネックレス挿通穴付きの指輪であり、
（２）複数箇所厚くした部位を指輪リングの外周外径方向に等配して、指輪リングの外形が複数の円弧辺からなる略正多角形状に成形されてなることを特徴とする前項（１）記載のネックレス挿通孔付きの指輪であり、
（３）外周外径方向に複数箇所厚くした部位のそれぞれに、宝石等の装飾部材が装着されてなることを特徴とする前項（１）又は（２）記載のネックレス挿通孔付きの指輪であり、
（４）ネックレスチェーンを挿通させる孔を貫通させた部位と反対側の厚くした外周部位に、宝石等の装飾部材が装着されてなることを特徴とする前項（１）又は（２）記載のネックレス挿通孔付きの指輪である。
【０００６】
そして、上記手段により、ネックレスチェーンが挿通孔にストレートに挿通されて、指輪をはずした時など容易且つ迅速に首にぶら下げて、ペンダントとして身に着けて使用することが可能になると共に、幅の狭い指輪リングにネックレスチェーンを挿通する孔を貫通させた場合の強度の低下が防止されて変形や破損しにくい指輪を提供し得る。
【０００７】
又、ネックレスチェーンが、指輪リングの穴壁に食い込んで隠れるように挿通されてぶら下げられるので、指輪リング内のネックレスチェーンのはみ出しが目立たず、見た目も良くなる。
【０００８】
【考案の実施の形態】
本考案の実施の形態を実施例を示す図面に基づいて説明すると、図１は、指輪リング１の外周外径方向に厚くした四箇所の部位１ａ，・・・のうちの一箇所の部位１ａにネックレスチェーンを挿通させる孔２が、指輪リング１の穴壁１ｂの円周に対して接線方向にストレートに貫通された実施例であり、図２は指輪リング１Ａの外周外径方向に厚くした三箇所の部位１ａ，・・・のうちの一箇所の部位１ａに、ネックレスチェーンを挿通させる孔２が、指輪リング１Ａの穴壁１ｂの円周に対して接線方向にストレートに貫通された実施例であり、図３は指輪リング１Ｂの外周外径方向に厚くした六箇所の部位１ａ，・・・のうちの一箇所の部位１ａにネックレスチェーンを挿通させる孔２が、指輪リング１Ｂの穴壁１ｂの円周に対して接線方向にストレートに貫通された実施例である。
【０００９】
前記厚くした部位１ａ，・・・は、指輪リングの外周外径方向に等配され、各部位１ａ，・・・の間の外周は円弧辺１ｃにして、図１は略正四角形状の指輪リング１となり、図２は略正三角形状の指輪リング１Ａとなり、図３は略正六角形状の指輪リング１Ｂとなっている。ネックレスチェーンを挿通させる孔２は、指輪リングを指に着けた時には手の平側に位置する。
【００１０】
指輪リング１，１Ａ，１Ｂの厚くした部位１ａ，・・・にはそれぞれ宝石等の装飾部材３，・・・が、その根部を埋め込むようにして装着されている。装飾部材３，・・・は、指輪を指に着けた時、指と指の間に位置する部位や手の平側に隠れる部位で指に当るなどして不都合が生ずる場合は装着しなくても良く、或いは装飾部材が出張らないようにして装着すると良い。
なお、指輪リング１，１Ａ，１Ｂの外周は、図１（ｂ）に示すような円弧状の凹み１ｄ，・・・にして成形されているが、これに限定されるものではなく、凸状に成形したり、フラットに成形しても良い。
【００１１】
指輪リング１の幅Ｗ寸法は、幅の広いものは１０〜１５ｍｍ、中位の幅のものは７〜１０ｍｍ、幅の狭いものは４〜７ｍｍ程度であり、挿通されるネックレスチェーンの挿通先部の太さは、２．５〜３ｍｍ程度である。
【００１２】
ネックレスチェーンを挿通させる孔２は、ロストワックス成型により指輪リング１を成形するのと同時に貫通され、その孔径はネックレスチェーンの挿通先部の太さより０．５〜１ｍｍ大きくするが、幅の狭い指輪リングの場合は、孔２と指輪リング１との間の厚みが少なくなるので、０．５ｍｍ程度大きくするのが限度となる。
【００１３】
例えば、指輪リング１の幅Ｗ寸法が４ｍｍでネックレスチェーン挿通先部の太さが２．５ｍｍの場合、ネックレスチェーンを挿通させる孔２の孔径は３ｍｍが限度であり、孔２と指輪リング１との間の厚みは孔２の両側に０．５ｍｍとなり、従来のように指輪リング１の外周に直角に孔をあけるやり方では前記０．５ｍｍの長さが短く、指輪リング１の強度は低下して指への着脱により力が加わると変形したり破損しやすくなるから、実施例図にて示す如く、指輪リング１の外周外径方向に厚くて、厚くした部位１ａに、ネックレスチェーンを挿通させる孔２を指輪リングの穴壁１ｂの円周に対して接線方向にストレートに貫通させることで指輪リング１の強度の低下が防止される。
【００１４】
すなわち、ネックレスチェーンを挿通する孔２を、指輪リング１の外周外径方向に厚くした部位１ａに、穴壁１ｂの円周に対して接線方向にストレートに貫通すると、孔２の長さは長くなり、孔２と指輪リングとの間の厚みの部分が長くなり、補強されて、孔２と指輪リング１との間の厚みが少なくなっても度の低下が防止され、指輪リング１の指への着脱に要する力で変形したり破損したりしにくくなる。
【００１５】
又、前記孔２は、指輪リング１の厚くした外周部を左右にストレートに貫通されているから、ネックレスチェーンの挿通先部の挿通が一度でできて容易且つ迅速となる。
【００１６】
ネックレスチェーンを挿通させる孔２は、指輪リング１の穴壁１ｂと交わる部分が破断されているが、挿通させる部位１ａを外周外径方向に厚くし、孔２の中心を穴壁１ｂより外側へ離すことにより、破断部を少なくしたり、或いはなくすることもできて強度上好ましいが、部位１ａが外周外径方向に極端に厚くなって指輪としての使用に不都合が生じないように部位１ａの厚さは決められる。
【００１７】
以上記述した指輪リング１は、厚くした部位１ａ，・・・を指輪リングの外周外径方向に等配して、指輪リングの外形が円弧辺１ｃ，・・・からなる略正四角形、略正三角形、略正六角形の略正多角形状に成形されたものであるが、図４に示すように円形の指輪リング１Ｃの装飾部材３を装着した反対側に、外周外径方向に厚くした部位１ａを設け、該部位１ａに、指輪リング１Ｃの穴壁１ｂに対して接線方向にネックレスチェーンを挿通させる孔２を貫通しても良い。装飾部材３は、ネックレスチェーンを挿通させる孔２とは反対側の指輪リング１Ｃの外周に厚く盛られた部位１ｅに、根部が埋め込まれて装着されている。
【００１８】
図５は、図１に示す指輪リング１の孔２に、ネックレスチェーン４を挿通させた斜視図であり、この状態でネックレスチェーン４の挿通先部のプラグ４ａをソケット４ｂに差込んで係止させ、ペンダントとして首にぶら下げて使用される。
【００１９】
【考案の効果】
以上記述した如く、本考案は、指輪リングを外周外径方向に複数箇所厚くして、該厚くした部位の一箇所に、指輪リングの穴壁円周に対して接線方向にネックレスチェーンを挿通させる孔を貫通させたものであり、指輪とペンダントのいずれかで常時身に着けて使用することにより、例えばマリッジリングのような場合、常時愛の絆が確かめられると共に、紛失する恐れもなくなる。
【００２０】
又、ネックレスチェーンを挿通させる孔は、指輪リングの厚くした外周部を左右にストレートに貫通されるから、ネックレスチェーンの挿通先部が一度で挿通できて、容易且つ迅速にできると共に、前記孔の長さは厚くした部位に長く貫通されて孔と指輪リングとの間の厚みの部分も長くなるから、幅の狭い指輪リングで孔との間の厚さが少なくなっても強度の低下が防止されて、指への着脱に要する力で指輪リングが変形したり破損したりしにくくなる。
【００２１】
更に、孔に挿通されたネックレスチェーンは指輪リング内へはみ出さず、ネックレスチェーンにぶら下げて使用する時の見た目も良くなる。
【図面の簡単な説明】
【図１】本考案の略正四角形状の実施例を示す断面図で、（ａ）は平面視断面図、（ｂ）は（ａ）におけるＡ−Ａ断面図である。
【図２】略正三角形状の実施例を示す平面視断面図である。
【図３】略正六角形状の実施例を示す平面視断面図である。
【図４】円形状の実施例を示す平面視断面図である。
【図５】ネックレスチェーンを挿通した斜視図である。
【符号の説明】
１、１Ａ、１Ｂ、１Ｃ　指輪リング
１ａ、１ｅ　部位
１ｂ　穴壁
１ｃ　円弧辺
１ｄ　凹み
２　孔
３　装飾部材
４　ネックレスチェーン
４ａ　プラグ
４ｂ　ソケット
【図１】
0003097216.tif 000003
【図２】
0003097216.tif 000004
【図３】
0003097216.tif 000005
【図４】
0003097216.tif 000006
【図５】
0003097216.tif 000007